(57)【要約】【課題】その家の住人である場合には、一定時間防犯モードを実施するのを停止することのできる防犯照明システムを提供する。【解決手段】発信機３０から、その家の住人であることを示す信号Ｒを発しながら玄関等に近づいた場合には、防犯機能はキャンセルされて作動せず、このキャンセル中に照明器具２０に設けられているスイッチ２８を操作することにより、キャンセル状態を一定時間継続させることができる。これにより、その家の住人が、玄関の鍵を開けて入る時間や、あるいは、鍵を開けて荷物を入れる等の作業を行う間、防犯モードを停止させることができる。【選択図】図１
2010033239.tif 000002
【特許請求の範囲】
【請求項１】
防犯機能を有する照明器具と、前記防犯機能をキャンセルする信号を発する発信機と、を有し、
前記照明器具が、前記発信機からの信号を受けて前記防犯機能がキャンセルされた状態で操作することにより前記防犯機能のキャンセル状態を一定時間維持するスイッチを有することを特徴とする防犯照明システム。
【発明の詳細な説明】
【技術分野】
【０００１】
本発明は、防犯照明システムに関するものである。
【背景技術】
【０００２】
従来より、防犯機能を有する防犯機能付き照明器具が知られている（例えば特許文献１参照）。
図８に示すように、特許文献１に記載の防犯機能付き照明器具１００では、人を検知する人センサ部１０１、周囲の照度を検出する明るさセンサ部１０２、さまざまな時間の計時を行うタイマ部１０３、これら各部１０１〜１０３を含む器具全体を制御する点灯制御手段１０４、および、光を出力する照明負荷部１０５を有している。
【０００３】
従って、人センサ部１０１が人を検知すると、点灯制御手段１０４は、明るさセンサ部１０２の検出する周囲の明るさに応じて、照明負荷部１０５から出力される光の質を変化させる防犯機能を、実施するか、実施しないかの切替えを行う。これにより、人センサ部１０１が人を検知した時に、例えば通常点灯するのか、防犯用点滅動作をするのかという動作モードの切替えを、周囲の明るさに応じて可能とする。
【０００４】
また、人センサ部１０１が人を検知してから一定時間（例えば、１０秒）以内外に、部機器としてのドアの鍵を操作することにより、その家の住人が鍵を操作した場合には、防犯動作を実施しないようにすることができる。
【特許文献１】特開２００３−２０３７８４号公報（第１図）
【発明の開示】
【発明が解決しようとする課題】
【０００５】
しかしながら、前述した特許文献１に記載の照明器具１００では、所定時間以内に鍵を操作しなければモードが実施されるため、その家の住人であっても威嚇されるおそれがあるという問題があった。
【０００６】
本発明は、従来の問題を解決するためになされたもので、その家の住人である場合には、一定時間防犯モードを実施するのを停止することのできる防犯照明システムを提供することを目的とする。
【課題を解決するための手段】
【０００７】
本発明の防犯照明システムは、防犯機能を有する照明器具と、前記防犯機能をキャンセルする信号を発する発信機と、を有し、前記照明器具が、前記発信機からの信号を受けて前記防犯機能がキャンセルされた状態で操作することにより前記防犯機能のキャンセル状態を一定時間維持するスイッチを有する構成を有している。
【０００８】
この構成により、発信機から、その家の住人である信号を発して玄関等に近づいた場合には、防犯機能はキャンセルされて作動せず、このキャンセル中に照明器具に設けられているスイッチを操作することにより、キャンセル状態を一定時間継続させることができる。これにより、その家の住人が、玄関の鍵を開けて入る時間や、あるいは、鍵を開けて荷物を入れる等の作業を行う間、防犯モードを停止させることができる。
【発明の効果】
【０００９】
本発明は、発信機から、その家の住人である信号を発して玄関等に近づいた場合には、防犯機能はキャンセルされて作動せず、このキャンセル中に照明器具に設けられているスイッチを操作することにより、キャンセル状態を一定時間継続させることができる。これにより、その家の住人が、玄関の鍵を開けて入る時間や、あるいは、鍵を開けて荷物を入れる等の作業を行う間、防犯モードを停止させることができるという効果を有する防犯照明システムを提供することができるものである。
【発明を実施するための最良の形態】
【００１０】
以下、本発明の実施の形態の防犯照明システムについて、図面を用いて説明する。
図１は本発明にかかる防犯照明システムを示す斜視図、図２は防犯機能付き照明器具の構成を示すブロック図、図３は設定ツマミの正面図、図４は発信機の平面図、図５は発信機の構成を示すブロック図、図６は通常モードの動作を示す説明図、図７は防犯モードの動作を示す説明図である。
【００１１】
図１において、本発明にかかる防犯照明システム１０は、防犯機能付き照明器具２０と、例えば住人であることを照明する特定の信号を発する例えばカードキータイプの発信機３０とを有している。
【００１２】
図１に示すように、防犯機能付き照明器具２０は、壁１１等に取り付けられる器具本体２０ａと、器具本体２０ａに取り付けられて内部に光源２１を有する灯体２０ｂとを有している。図２にも示すように、器具本体２０ａには、検知ブロック２２と、人が発信機３０から発する特定の信号を受信する通信部２３と、警報音等の音を発することができる音出力部２４とを有しており、前述した各部２１〜２４を制御する制御部２５を有している。また、器具本体２０ａには、発信機３０からの信号によりキャンセルされた防犯モードを一定時間保持するためのスイッチとして、防犯モード解除スイッチ２８が設けられている。なお、防犯モード解除スイッチ２８を押して一定時間が経過すると、再び防犯モードに戻る。
【００１３】
検知ブロック２２は、所定の検知エリア内の人を検知する焦電素子を備えた人感センサ２２ａと、周囲の明るさを検出するフォトトランジスタを備えた明るさセンサ２２ｂを有する。この検知ブロック２２は、器具本体の下部外面に露出して設けられており、表面は乳白色のカバーで覆われている。このカバーはレンズ状に形成されており、人感センサ２２ａの検知エリアを決定する。
また、音出力部２４および通信部２３は、器具本体２０ａの下面を切欠いて設けられている。
【００１４】
制御部２５の前面には、複数個（例えば４個）の設定ツマミ２６が設けられている。図３に示すように、点灯保持時間ツマミ２６ａは、人感センサ２２ａが人を検知した際に光源２１を点灯させる時間（点灯保持時間）を設定する。明るさ調整ツマミ２６ｂは、明るさセンサ２２ｂにより検知された明るさに基づいて光源２１を点灯させる際の、周囲の明るさを調整する。お出迎え時間ツマミ２６ｃは、後述するお出迎え時間を設定する。点滅時間ツマミ２６ｄは、人を検知してから光源２１の点滅が開始するまでの時間（点滅開始時間）の設定を行う。また、設定ツマミ２６は器具本体２０ａの内部に設けられており、その前方に設けられているカバー２７を取り外すことにより、操作できるようになっている（図１参照）。
【００１５】
図４および図５に示すように、発信機３０は、アンテナ３１、バッテリー３２、設定部３３、制御部３４を有しており、制御部３４からの信号は、アンテナ３１を介して器具本体２０ａの通信部２３に送られる。また、発信機３０の表面には設定部３３が設けられており、防犯モードスイッチ３３ａ、通常モードスイッチ３３ｂ、連続点灯スイッチ３３ｃを有している。これらのスイッチ３３ａ〜３３ｃを用いて、後述する、通常モード、防犯モード、連続点灯モードの設定を行うことができる。
【００１６】
前述した発信機３０を用いた防犯機能のキャンセル動作について説明する。防犯モードに設定されているときに、照明器具１０の通信部２３が発信機３０からのＩＤ信号Ｒを受信すると、制御部２５は受信したＩＤ信号Ｒを登録されているＩＤ信号と照合する。受信されたＩＤ信号Ｒが登録されているＩＤ信号のいずれかと一致すると、所定時間（例えば、１分間）防犯機能が作動しなくなる。従って、その家の住人以外が検知エリアに入ると防犯機能が働くが、発信機３０を持った住人が検知エリアに入ると、発信機３０を操作しなくても防犯モードをキャンセルする。
【００１７】
なお、発信機３０の通信可能エリアは、人の検知エリアよりも広く設定することにより、先にＩＤ信号Ｒが受信されるようにして、その家の住人に対しては防犯モードが働かないようにすることができる。また、発信機３０は、照明器具２０にかざさなくても、持っているだけで特定の信号を発するようにすることもできる。
【００１８】
あるいは、人感センサ２２ａが人を検知した場合でも、検知から所定時間経過後に防犯機能が作動するようにすることにより、住人が特定の信号を発する前に人感センサ２２ａが人を検知した場合でも、その所定時間経過までに通信部２３が特定信号を受信したら、防犯機能を作動させないようにすることができる。
【００１９】
前述したように、発信機３０からのＩＤ信号Ｒによる防犯モードのキャンセルは、一定時間に限られており、一定時間経過後には再び防犯モードに戻る。このため、住人は、防犯モードのキャンセル状態を延ばすためには、キャンセル状態が続いている内に、照明器具２０の器具本体２０ａに設けられている防犯モード解除スイッチ２８を押す。これにより、さらに一定時間、防犯モードのキャンセル状態が継続する。
【００２０】
次に、各モードにおける動作を説明する。
【００２１】
（通常モード）
通常モードにおいては、周囲が明るい昼間は点灯しない。図６（Ａ）に示すように、周囲が設定した明るさよりも暗くなったことを明るさセンサ２２ｂが検知すると、照明器具２０の光源２１を、例えば２０％の明るさで、ほんのりお出迎え点灯させる。この状態で、図６（Ｂ）に示すように、人Ｍが近づいて人感センサ２２ａにより検知されると、光源２１を１００％の明るさで点灯させ、図６（Ｃ）に示すように、人が離れて人感センサ２２ａにより検知されないようになると、再びほんのりお出迎え点灯する。そして、図６（Ｄ）に示すように、お出迎え終了時間になると消灯させる。この後、人感センサ２２ａが人を検知すると、光源２１を、１００％の明るさで点灯させて、人を検知したことを知らせる。
なお、お出迎え終了時間の調整により、朝までほんのりお出迎え点灯を継続することもできる。
【００２２】
（防犯モード）
明るさセンサ２２ｂによって周囲が明るいと判断された昼間においては、図７（Ａ）に示すように、人感センサ２２ａが人を検知すると、所定時間（例えば１０〜３０秒）経過後に、光源２１が点滅すると同時に、音出力部２４が警報音を発して人を威嚇発する。その後、人が検知されなくなると、光源２１は消灯し、警報音も停止する。
【００２３】
一方、明るさセンサ２２ｂによって周囲が暗いと判断された夜間においては、図７（Ｃ）に示すように、周囲が設定した明るさよりも暗いと明るさセンサ２２ｂが検知すると、照明器具２０の光源２１を、例えば２０％の明るさで、ほんのりお出迎え点灯させる。この状態で、図７（Ｄ）に示すように、人が近づいて人感センサ２２ａにより検知されると、光源２１を１００％の明るさで点灯させる。図７（Ｅ）に示すように、人感センサ２２ａによって所定時間継続して人が検知されると、光源２１がフラッシュ点滅するとともに、音出力部２４が警報音を発する。その後、図７（Ｆ）に示すように、警報音を停止させて、光源２１が１００％で点灯する。
【００２４】
そして、図７（Ｇ）に示すように、人が離れて人感センサ２２ａにより検知されないようになると、再びほんのりお出迎え点灯する。その後、図７（Ｈ）に示すように、お出迎え終了時間になると、光源２１を消灯させるが、図７（Ｉ）に示すように、人感センサ２２ａが人を検知すると、光源２１を、１００％の明るさで点灯させて、人を検知したことを知らせ、人が検知されなくなると消灯する。
【００２５】
このような防犯モードは、前述したように、発信機３０を用いた防犯機能のキャンセル動作が行われた場合には、機能しない。すなわち、人が、発信機３０により特定の信号であるＩＤ信号Ｒを発している場合には、前述した通常モードに従って点灯等を実行する。そして、通信部２３が特定の信号を受信してから所定時間経過後には、防犯機能が作動可能状態に復帰する。これにより、住人等がいなくなった後に、確実に防犯機能作動可能状態に復帰することができる。なお、防犯モードのキャンセル状態が続いている間に、照明器具２０に設けられている防犯モード解除スイッチ２８を押すと、さらに一定時間、防犯モードがキャンセルされる。
【００２６】
（連続点灯モード）
明るさセンサ２２ｂによって周囲が所定の明るさよりも暗いと検知された場合には、光源２１を、所定の明るさで、継続して点灯させ、明るさセンサ２２ｂによって、周囲が明るくなったと検知された場合には、光源２１を消灯する。
【００２７】
以上、説明した本発明にかかる防犯照明システム１０によれば、発信機３０から、その家の住人であるＩＤ信号を発して玄関等に近づいた場合には、防犯機能はキャンセルされて作動せず、このキャンセル中に照明器具２０に設けられている防犯モード解除スイッチスイッチ２８を操作することにより、キャンセル状態を一定時間継続させることができる。これにより、その家の住人が、玄関の鍵を開けて入る時間や、あるいは、鍵を開けて荷物を入れる等の作業を行う間、防犯モードを停止させることができる。
【００２８】
なお、本発明の防犯照明システムは、前述した実施形態に限定されるものでなく、適宜な変形，改良等が可能である。
例えば、前述した実施形態において示した通常モードおよび防犯モードは一例であり、種々の形態を採用することができる。
【図面の簡単な説明】
【００２９】
【図１】本発明にかかる防犯機能付き照明器具および防犯照明システムを示す斜視図
【図２】防犯機能付き照明器具の構成を示すブロック図
【図３】設定ツマミの正面図
【図４】発信機の平面図
【図５】発信機の構成を示すブロック図
【図６】通常モードの動作を示す説明図
【図７】防犯モードの動作を示す説明図
【図８】従来の防犯機能付き照明器具の構成を示すブロック図
【符号の説明】
【００３０】
１０  防犯照明システム
２０  照明器具
２８  防犯モード解除スイッチ（スイッチ）
３０  発信機
【図１】
2010033239.tif 000003
【図２】
2010033239.tif 000004
【図３】
2010033239.tif 000005
【図４】
2010033239.tif 000006
【図５】
2010033239.tif 000007
【図６】
2010033239.tif 000008
【図７】
2010033239.tif 000009
【図８】
2010033239.tif 000010